(57)【特許請求の範囲】
【請求項１】
本体フレームと、
前記本体フレームに備えられるグリップと、
前記本体フレームに揺動可能に設けられ、前記グリップとともに握持・解放操作される操作レバーと
前記本体フレームに備えられ、ロール状に巻回された台紙無しラベルを保持するラベル保持部と、
前記本体フレームに備えられ、前記操作レバーの握持・開放操作により回転して、前記ラベル保持部に保持された前記台紙無しラベルを移送する移送ローラと、
前記本体フレームに備えられた開閉軸の回りを揺動して、前記本体フレームに開閉自在に設けられる開閉フレームと、
前記開閉フレームに備えられた一対のプーリに掛け渡されて回転可能に設けられ、前記操作レバーの握持・開放操作により回転して、前記移送ローラによって移送された前記台紙無しラベルを更に移送する無端ベルトと、
前記本体フレームに備えられ、前記無端ベルトによって移送された前記台紙無しラベルを被貼付け体に貼付ける貼付けローラと、
前記無端ベルトの内周部に挿通されるベルト張りローラと、
前記開閉フレームに移動自在に設けられ、前記ベルト張りローラの両端の軸部に係合して、前記ベルト張りローラを前記無端ベルトの内周面に向けて押下する押下部材および前記押下部材を前記開閉フレームに固定する固定手段を備えるベルト張りローラ保持手段と、
前記本体フレームに備えられ、前記ベルト張りローラを前記無端ベルトの内周面に押圧当接させて、前記無端ベルトにテンションを付与するテンション付与手段と、
を備えることを特徴とする携帯式台紙無しラベル貼付け機。
【請求項２】
前記押下部材は、一対で構成され、前記ベルト張りローラの両端の軸部に個別に係合して、前記ベルト張りローラを前記無端ベルトの内周面に向けて押下し、
前記固定手段は、前記一対の押下部材を個別に前記開閉フレームに固定することを特徴とする請求項１に記載の携帯式台紙無しラベル貼付け機。
【請求項３】
前記開閉フレームには、前記押下部材の押下量を示す指標が備えられることを特徴とする請求項１又は２に記載の携帯式台紙無しラベル貼付け機。
【発明の詳細な説明】
【技術分野】
【０００１】
本発明は、携帯式台紙無しラベル貼付け機に係り、特に帯状の台紙無しラベルを装填して移送し、所望の被貼付け体に貼付け操作を行う携帯式台紙無しラベル貼付け機に関する。
【背景技術】
【０００２】
従来から、携帯式ラベル貼付け機を用いて、各種商品やその他の被貼付け体にラベルを貼り付け、商品の価格やその他必要な情報を表示することが行われている。
【０００３】
携帯式ラベル貼付け機の使用にあたっては、帯状のラベルをロール状に巻回した状態で、携帯式ラベル貼付け機に備えられたラベルホルダーなどのラベル保持部に装填して保持するとともに、このラベルホルダーからラベルを帯状に繰り出して、携帯式ラベル貼付け機内に挿通し、移送ないし印字可能な状態に装填している。
【０００４】
携帯式ラベル貼付け機に装填するラベルとしては、帯状のラベル基材と、このラベル基材の裏面に設けた粘着剤層と、ラベル基材の表面に設けた剥離剤層と、を有する一方、台紙を持たない台紙無しラベルがある。台紙無しラベルは、台紙を持たないことから省資源にも寄与している。
【０００５】
特許文献１には、台紙無しラベルを装填して使用する携帯式台紙無しラベル貼付け機が開示されている。この携帯式台紙無しラベル貼付け機では、ロール状に巻回された台紙無しラベルを移送ローラによって無端ベルトの上に移送し、更に、その無端ベルトで貼付けローラの位置まで移送して、被貼付け体に貼付ける構成とされている。
【０００６】
ところで、無端ベルトで台紙無しラベルを移送する場合において、台紙無しラベルを安定して移送するためには、無端ベルトを弛みなく設置する必要がある。
【０００７】
しかしながら、無端ベルトの周長誤差は製造上避けられないため、組み付けた際に弛みが発生してしまうことがある。
【０００８】
この場合、バネ圧を利用して弛みを取り除くことも考えられるが、バネ圧を利用して弛みを取り除く方法では、次のような問題が発生する。すなわち、台紙無しラベルは、連続体として無端ベルト上を移送され、無端ベルト上で個々のラベルに切断される。無端ベルトの表面には、周方向（走行方向）と直交する溝が周方向に一定ピッチで形成され、溝の位置で切断刃を走行させて切断する。バネ圧を利用して弛みを取り除く構成の場合、この溝と切断刃の位置とにズレが生じる場合があり、切断不良を起こす問題がある。
【先行技術文献】
【特許文献】
【０００９】
【特許文献１】特開2011-178435公報
【発明の概要】
【発明が解決しようとする課題】
【００１０】
本発明は、このような事情に鑑みてなされたもので、台紙無しラベルを移送する無端ベルトのテンションを簡単に調整することができる携帯式台紙無しラベル貼付け機を提供することを目的とする。
【課題を解決するための手段】
【００１１】
請求項１に係る発明は、前記目的を達成するために、本体フレームと、前記本体フレームに備えられるグリップと、前記本体フレームに揺動可能に設けられ、前記グリップとともに握持・解放操作される操作レバーと前記本体フレームに備えられ、ロール状に巻回された台紙無しラベルを保持するラベル保持部と、前記本体フレームに備えられ、前記操作レバーの握持・開放操作により回転して、前記ラベル保持部に保持された前記台紙無しラベルを移送する移送ローラと、前記本体フレームに備えられた開閉軸の回りを揺動して、前記本体フレームに開閉自在に設けられる開閉フレームと、前記開閉フレームに備えられた一対のベルトローラに掛け渡されて回転可能に設けられ、前記操作レバーの握持・開放操作により回転して、前記移送ローラによって移送された前記台紙無しラベルを更に移送する無端ベルトと、前記本体フレームに備えられ、前記無端ベルトによって移送された前記台紙無しラベルを被貼付け体に貼付ける貼付けローラと、前記無端ベルトの内周部に挿通されるベルト張りローラと、前記本体フレームに備えられ、前記ベルト張りローラを前記無端ベルトの内周面に押圧当接させて、前記無端ベルトにテンションを付与するテンション付与手段と、を備えることを特徴とする携帯式台紙無しラベル貼付け機を提供する。
【００１２】
本発明によれば、ベルト張りローラを無端ベルトの内周面に押圧当接させることにより、無端ベルトにテンションを付与することができる。これにより、無端ベルトに周長誤差が生じている場合であっても、弛みなく組み付けることができる。また、無端ベルトの表面に溝が一定ピッチで形成されている場合であっても、位置ズレを生じさせることなく組み付けることができる。
【００１３】
請求項２に係る発明は、前記目的を達成するために、前記ベルト張りローラ保持手段は、前記開閉フレームに移動自在に設けられ、前記ベルト張りローラの両端の軸部に係合して、前記ベルト張りローラを前記無端ベルトの内周面に向けて押下する押下部材と、前記押下部材を前記開閉フレームに固定する固定手段と、を備えることを特徴とする請求項１に記載の携帯式台紙無しラベル貼付け機を提供する。
【００１４】
本発明によれば、開閉フレームに移動自在に設けられた押圧部材でベルト張りローラの両端の軸部を押下し、所望の位置で押下部材を固定することにより、所望のテンションを無端ベルトに付与することができる。これにより、簡単に付与するテンションを調整することができる。
【００１５】
請求項３に係る発明は、前記目的を達成するために、前記押下部材は、一対で構成され、前記ベルト張りローラの両端の軸部に個別に係合して、前記ベルト張りローラを前記無端ベルトの内周面に向けて押下し、前記固定手段は、前記一対の押下部材を個別に前記開閉フレームに固定することを徴とする請求項２に記載の携帯式台紙無しラベル貼付け機提供する。
【００１６】
本発明によれば、ベルト張りローラの両端の軸部が、一対の押下部材によって個別に押下できるように構成される。これにより、たとえば、無端ベルトに蛇行が生じている場合などに、左右の押下量を調整することにより、蛇行を矯正することができる。
【００１７】
請求項４に係る発明は、前記目的を達成するために、前記開閉フレームには、前記押下部材の押下量を示す指標が備えられることを特徴とする請求項２又は３に記載の携帯式台紙無しラベル貼付け機を提供する。
【００１８】
本発明によれば、開閉フレームに押下部材の押下量を示す指標が備えられる。これにより、簡単にベルト張りローラの押下量（テンションの付与量）を調整することができる。特に、ベルト張りローラの両端の軸部を個別に押下する場合には、左右の押下量を知ることができ、簡単にテンションの付与量を調整することができる。
【発明の効果】
【００１９】
本発明によれば、台紙無しラベルを移送する無端ベルトのテンションを簡単に調整することができる。
【図面の簡単な説明】
【００２０】
【図１】本発明の携帯式台紙無しラベル貼付け機の側面図
【図２】同、ラベルホルダー及びプラテンユニットを開放した状態の側面図
【図３】同、一方の側板を取り除いた状態の概略側面図
【図４】同、プラテンユニット及び台紙無しラベル分離装置の分解斜視図
【図５】同、プラテンユニットにおける台紙無しラベル分離装置、移送ローラ及び押付けエレメントの斜視図
【図６】同、台紙無しラベルを装填した状態のプラテンユニットにおける台紙無しラベル分離装置、移送ローラ及び押付けエレメントの斜視図
【図７】同、プラテンユニットにおける台紙無しラベル分離装置を開放した状態の斜視図
【図８】同、プラテンユニットにおける台紙無しラベル分離装置を開放した状態の縦断面図
【図９】同、台紙無しラベルを装填した状態のプラテンユニットにおける台紙無しラベル分離装置、移送ローラ、押付けエレメント及び移送用無端ベルトの、分離爪片部分における縦断面図
【図１０】同、台紙無しラベルを装填した状態のプラテンユニットにおける台紙無しラベル分離装置、移送ローラ、押付けエレメント及び移送用無端ベルトの、逆転防止片部分における縦断面図
【図１１】テンション調整機構の分解斜視図
【図１２】テンション調整機構の動作説明図
【発明を実施するための形態】
【００２１】
本発明は、無端ベルトの内周部にベルト張りローラを挿通し、そのベルト張りローラで無端ベルトの内周を押圧することにより、無端ベルトにテンションを付与する携帯式台紙無しラベル貼付け機を実現した。
【実施例】
【００２２】
次に、本発明の実施例による携帯式台紙無しラベル貼付け機を添付図面に基づいて説明する。
【００２３】
図１は、携帯式台紙無しラベル貼付け機１の側面図、図２は、同、ラベルホルダー４、及びプラテンユニット６を開放した状態の側面図、図３は、同、一方の側板２を取り除いた状態の概略側面図、図４は、プラテンユニット６及び台紙無しラベル分離装置９の分解斜視図である。
【００２４】
携帯式台紙無しラベル貼付け機１は、本体フレームを構成する左右（紙面表裏）一対の側板２、台紙無しラベル３のラベルホルダー（ラベル保持部）４、操作レバー５、プラテンユニット６、印字器７、貼付けローラ８、台紙無しラベル分離装置９を有する。
【００２５】
左右一対の側板２には、操作者が握持操作するグリップ１０が一体的に備えられる。また、このグリップ１０の近傍には、操作レバー５が配置され、この操作レバー５は、レバー軸１１（図３）の周り揺動自在に取り付けられることにより、グリップ１０に対して近づく方向、及び離れる方向に動作される。
【００２６】
操作レバー５は、コイルスプリング１２などの付勢部材を介してグリップ１０に接続され、コイルスプリング１２の付勢力によって、グリップ１０に対して離れる方向に付勢されている。
【００２７】
操作者は、グリップ１０及び操作レバー５を片手で握持し、コイルスプリング１２の付勢力に抗して操作レバー５をグリップ１０に向けて回動操作する。これにより、携帯式台紙無しラベル貼付け機１内のプラテンユニット６及び印字器７が駆動される。そして、操作レバー５の握持操作を解放することによって、携帯式台紙無しラベル貼付け機１の貼付けローラ８（図１）による台紙無しラベル３の貼付け操作が行われる。
【００２８】
帯状の台紙無しラベル３（図３）は、ロール状に巻回されてラベルホルダー４に保持されるとともに、操作レバー５の握持操作に連動するプラテンユニット６によって印字器７（図１）の方向に繰り出される。そして、台紙無しラベル３は、プラテンユニット６（図２）の先端部でプラテンユニット６から分離され、貼付けローラ８によって被貼付け体（図示せず）に貼り付けられる。台紙無しラベル３（図３）には、台紙無しラベル３の長手方向に直交する方向に所定ピッチで移送用スリット（被係合部）３Ａが形成されている。この移送用スリット３Ａは、プラテンユニット６を移送される際に、切断分離ユニット（図示せず）によって切断される。この切断動作によって、帯状の台紙無しラベル３から単葉のラベル片３Ｂが分離され、ラベル片３Ｂが前記被貼付け体に貼り付けられる。
【００２９】
ラベルホルダー４は、側板２の上面に設けられたホルダー軸１３の周りに側板２に対して開閉回動可能とした断面半円弧状のホルダーカバー１４、ホルダーカバー１４の内部に設けられたラベル保持軸１５、及び側板２への固定用フック１６を有し、ラベル保持軸１５にロール状の台紙無しラベル３が装填される。
【００３０】
プラテンユニット６は図３の如く、ラベルホルダー４から帯状に繰り出された台紙無しラベル３を移送するものであり、開閉フレーム１７、移送ローラ１８、及び図４の押付けエレメント１９を有している。また、移送ローラ１８から移送されてきた台紙無しラベル３は、台紙無しラベル分離装置９によって移送ローラ１８から分離される。
【００３１】
開閉フレーム１７は、側板２に設けた開閉軸２０の周りに回動可能に配置される。プラテンユニット６は、台紙無しラベル３が移送不良、いわゆるジャムリを起こしたときや保守点検などのときに、開閉フレーム１７を回動させることにより、側板２に対し、その全体が開閉されるようになっている。
【００３２】
開閉フレーム１７には、移送用無端ベルト２３が設けられる。移送用無端ベルト２３は、移送ローラ１８によって移送されてくる台紙無しラベル３を更に移送する。移送用無端ベルト２３は、開閉フレーム１７に設けられた駆動ベルトローラ２１と従動ベルトローラ２２とに巻き掛けられて、開閉フレーム１７に回転可能に設けられる。
【００３３】
駆動ベルトローラ２１と従動ベルトローラ２２とは、開閉フレーム１７に一定の間隔をもって配置される。駆動ベルトローラ２１には、駆動ギア２１Ａが固着される。駆動ギア２１Ａは、移送ローラ１８のローラギア２４に係合される。したがって、移送ローラ１８が回転すると、駆動ベルトローラ２１も回転する。そして、この駆動ベルトローラ２１が回転することにより、移送用無端ベルト２３が走行する。
【００３４】
移送用無端ベルト２３は、移送ローラ１８によって移送されてくる台紙無しラベル３の移送手段として機能するとともに、印字器７による台紙無しラベル３への押印動作の受け台としても機能する。このため、移送用無端ベルト２３の内側には、受圧用プレート２３Ａ（図８）が配置される。受圧用プレート２３Ａは、印字器７に対向して配置される。
【００３５】
台紙無しラベル３を移送する際、移送用無端ベルト２３の表面には、台紙無しラベル３の裏面（糊面：粘着剤塗布面）が接触する。このため、移送用無端ベルト２３は、表面に剥離剤などが塗布される。あるいは、移送用無端ベルト２３自体が、非粘着性の物性を有するシリコーンや、フッ素系のゴム材で構成される。また、移送用無端ベルト２３の表面には、周方向と直交する溝が、周方向に一定ピッチで形成される（移送用無端ベルト２３の表面には凹凸が周方向に繰り返し形成される）。また、移送用無端ベルト２３は、強度を確保するため、糸芯が内蔵される。
【００３６】
移送用無端ベルト２３は、弛みが生じていると、台紙無しラベル３を安定して移送することができない。このため、開閉フレーム１７には、移送用無端ベルト２３のテンションを調整するテンション調整機構が備えられる。テンション調整機構については、のちに詳述する。
【００３７】
なお、開閉フレーム１７の先端側の左右には、一対の係脱軸２５が突出されており、側板２に設けられた開閉用つまみ２６（図１、図２）に連動してつまみ軸２７（図３）の周りに回動する開閉用係脱片２８の係脱用凹部２８Ａに係脱される。ただし、つまみ軸２７には任意のバネ材（図示せず）が設けられており、このバネ材によって開閉用係脱片２８が係脱軸２５に係合する方向に付勢されている。
【００３８】
すなわち、開閉用つまみ２６は、係脱軸２５に係脱する開閉用係脱片２８を操作して、プラテンユニット６と開閉用係脱片２８とを互いに係脱可能としている。
【００３９】
移送ローラ１８は、開閉フレーム１７に設けられたローラ軸２９の周りに移送方向に所定ピッチで回転可能に配置されている。
【００４０】
操作レバー５のレバー軸１１の下方部に延びる連結アーム３０の連結軸３１に、移送回動用爪３２が往復動可能に取り付けられており、この移送回動用爪３２が移送ローラ１８におけるローラギア２４の側面に放射状に設けられた複数個の移送用突起３３それぞれに係脱される。
【００４１】
なお、連結軸３１には、連結ガイドプレート３４が取り付けられており、連結ガイドプレート３４の左右先端部の連結突起３５が、開閉フレーム１７の底部におけるガイド溝３６内に往復摺動可能に嵌め込まれ、操作レバー５の握持及びその解放に伴う連結軸３１及び移送回動用爪３２の往復作動を保証している。
【００４２】
かくして、操作レバー５をグリップ１０とともに握持及び解放することにより、連結アーム３０、移送回動用爪３２及びローラギア２４などを介してローラ軸２９の周りに移送ローラ１８を所定ピッチだけ回転して台紙無しラベル３を移送可能とするとともに、移送ローラ１８のローラギア２４と駆動ギア２１Ａとの連結係合により移送用無端ベルト２３を回転させて台紙無しラベル３をその上面に移送する。
【００４３】
更に移送ローラ１８は、その中央円周溝３７の左右に所定ピッチで左右一対の移送用爪（係合部）３８が突出され、移送用爪３８の外周側に左右一対の外周円周溝３９が備えられている。この移送用爪３８は台紙無しラベル３の移送用スリット３Ａに係脱される。移送用爪３８が、移送用スリット３Ａに係合して移送ローラ１８が所定量回動することにより、台紙無しラベルがラベル片３Ｂ毎に間欠移送される。
【００４４】
また、操作レバー５は、その先端側に二股状のヨーク部５Ａを有し、このヨーク部５Ａに印字器７（図１）が取り付けられている。
【００４５】
図５は、プラテンユニット６における台紙無しラベル分離装置９、移送ローラ１８及び押付けエレメント１９の斜視図、図６は、台紙無しラベル３を装填した状態のプラテンユニット６における台紙無しラベル分離装置９、移送ローラ１８及び押付けエレメント１９の斜視図、図７は、プラテンユニット６における台紙無しラベル分離装置９を開放した状態の斜視図、図８は、プラテンユニット６における台紙無しラベル分離装置９を開放した状態の縦断面図である。
【００４６】
押付けエレメント１９は、移送ローラ１８に台紙無しラベル３を押し付けるためのものであり、エレメントフレーム４０と、上下左右二対のバックアップローラ４１と、バックアップローラ４１の間で中央に位置するバックアップリング４２と、ねじりコイルバネ４３及び左右一対の板バネ４４と、を有する。
【００４７】
ねじりコイルバネ４３及び左右一対の板バネ４４は、プラテンユニット６が開閉用係脱片２８から離脱したときに、移送ローラ１８と押付けエレメント１９とを互いに離反させる付勢部材として機能し、押付けエレメント１９から移送ローラ１８を離反させ、その間に台紙無しラベル３を挿通可能とする間隙４５（図３）を形成可能とする。
【００４８】
ただし、開閉フレーム１７は、係脱軸２５と開閉用係脱片２８との係合により、ねじりコイルバネ４３及び板バネ４４の付勢力に抗して側板２に取り付けられる。
【００４９】
なお、エレメントフレーム４０は、開閉フレーム１７の外壁面に設けたエレメント軸４６（図４）の周りに開閉フレーム１７に対して回動可能に連結されており、プラテンユニット６において押付けエレメント１９に対して開閉フレーム１７を相対的に開閉可能としている。また、エレメントフレーム４０は、バックアップローラ４１及びバックアップリング４２を取り付ける上下一対の回転軸４７を有する。
【００５０】
バックアップローラ４１及びバックアップリング４２は、台紙無しラベル３の裏面（糊面）が接触移送されるため、非粘着性の物性を有するシリコーン、或いはフッ素系のゴム材から構成されるか、剥離剤などが塗布されているもので、台紙無しラベル３を移送ローラ１８側に押し付け可能である。
【００５１】
また、バックアップローラ４１及びバックアップリング４２は、台紙無しラベル３の糊面に線接触するため、糊面との粘着力を極力小さくすることができるとともに、所定のバネ弾性をもった押付けが可能である。
【００５２】
バックアップローラ４１は、移送ローラ１８の移送用爪３８の外周部の外周円周溝３９に接触回転するとともに、バックアップリング４２が、移送ローラ１８の移送用爪３８の内周部の中央円周溝３７に接触回転することにより、移送ローラ１８と押付けエレメント１９との間に台紙無しラベル３を挟持しつつ、また、移送用爪３８が台紙無しラベル３の表面側からその移送用スリット３Ａに係合し移送ローラ１８の回転によって台紙無しラベル３を移送用無端ベルト２３上に送り出す。
【００５３】
ねじりコイルバネ４３は、移送ローラ１８と押付けエレメント１９との間において、間隙４５から側方にずれた位置に設けられたバネ取付け軸（図示せず）に取り付けられており、開閉フレーム１７（プラテンユニット６）全体を押付けエレメント１９に対して常時開放方向（図３）に付勢する。
【００５４】
板バネ４４は、移送ローラ１８とは反対側のエレメントフレーム４０の背面に取り付けられており、操作レバー５のレバー軸１１部分に当接して、ねじりコイルバネ４３と協動して、開閉フレーム１７（プラテンユニット６）全体を押付けエレメント１９に対して常時開放方向（図３）に付勢する。
【００５５】
印字器７は、操作レバー５における二股状のヨーク部５Ａの先端部側に取り付けられており、インキローラ４８（図１）により印字器７の活字にインキを塗布し、プラテンユニット６における移送用無端ベルト２３の上面に移送されてきた台紙無しラベル３（ラベル片３Ｂ）に所定の情報を印字する。
【００５６】
貼付けローラ８は、側板２の先端下方部に位置し、プラテンユニット６における移送用無端ベルト２３の先端部分で移送用無端ベルト２３から剥離されたラベル片３Ｂを、携帯式台紙無しラベル貼付け機１全体の貼付け操作にともなって、貼付けローラ８によるラベル片３Ｂを被貼付け体に貼り付ける。
【００５７】
すなわち、貼付けローラ８は、側板２の端部（図１中、左端下方端部）に位置するとともに、その円周部の一部が側板２の外部に露出しており、側板２の外部に排出するようにプラテンユニット６及びその移送用無端ベルト２３を通って側板２の外部に移送されてきたラベル片３Ｂを、貼付けローラ８を被貼付け体に打ち付けるようにして回転させることにより、被貼付け体に貼り付け可能とする。
【００５８】
図４に示すように、台紙無しラベル分離装置９は、プラテンユニット６の開閉フレーム１７に回動可能に設けた分離爪エレメント４９を有する。
【００５９】
分離爪エレメント４９は、移送ローラ１８と移送用無端ベルト２３との間に配置されるとともに、押付けエレメント１９によって移送ローラ１８に押し付けられていた台紙無しラベル３を移送ローラ１８から確実に分離可能とし、移送ローラ１８と移送用無端ベルト２３との間において台紙無しラベル３を移送ローラ１８から移送用無端ベルト２３に移行させる。
【００６０】
具体的に、分離爪エレメント４９は、左右一対の回動アーム５０及びその間の横断アーム５１を有する爪エレメント本体５２と、横断アーム５１から移送ローラ１８に向かって突出形成した左右一対の分離爪片５３と、分離爪片５３に対してほぼ直角方向に分離爪片５３の間に形成した逆転防止片５４と、回動アーム５０の基部に弾性的に形成した爪エレメント係合片５５と、を有する。
【００６１】
分離爪エレメント４９は、プラテンユニット６の開閉フレーム１７においてこれをその周りに回動可能な回動突起５６を回動アーム５０の先端部に有する。
【００６２】
すなわち、開閉フレーム１７におけるローラ軸２９近傍には、回動用凹部５７が形成され、この回動用凹部５７に回動突起５６が係合し、この回動突起５６の周りにおいて、分離爪エレメント４９が、移送ローラ１８から台紙無しラベル３を分離可能な第１の姿勢（図５及び図６を参照）と、移送ローラ１８から離脱し、移送ローラ１８の周りにおける台紙無しラベル３の状態を確認可能な第２の姿勢（図７及び図８を参照）との間に、回動可能である。
【００６３】
図９は、台紙無しラベル３を装填した状態のプラテンユニット６における台紙無しラベル分離装置９、移送ローラ１８、押付けエレメント１９及び移送用無端ベルト２３の、分離爪片５３部分における縦断面図、図１０は、台紙無しラベル３を装填した状態のプラテンユニット６における台紙無しラベル分離装置９、移送ローラ１８、押付けエレメント１９及び移送用無端ベルト２３の、逆転防止片５４部分における縦断面図である。
【００６４】
図１０に示すように、逆転防止片５４は、移送ローラ１８の中央円周溝３７に移送用爪３８と同じ所定ピッチで形成した逆転防止凹部５８それぞれに係脱可能である。
【００６５】
爪エレメント係合片５５は、開閉フレーム１７に形成した爪エレメント係脱孔部５９に弾性的に係脱可能であって、分離爪エレメント４９の上記第２の姿勢を解除可能にロックする。
【００６６】
既述のように、移送ローラ１８の移送用爪３８を台紙無しラベル３の移送用スリット３Ａに係脱可能としているとともに、分離爪エレメント４９の分離爪片５３は、移送ローラ１８の外周円周溝３９の部位、ないしは、外周円周溝３９と押付けエレメント１９におけるバックアップローラ４１との間に臨むことができるようにしているとともに、分離爪片５３の先端部は、移送用爪３８と移送用スリット３Ａとの係合部位より上流側に位置可能としている。
【００６７】
こうした構成の携帯式台紙無しラベル貼付け機１、及び台紙無しラベル分離装置９において、開閉用つまみ２６を操作し、開閉用係脱片２８の係脱用凹部２８Ａと係脱軸２５との間の係合を解除することにより、プラテンユニット６を側板２に対して開放すると、板バネ４４を介してレバー軸１１ないしは側板２からの反力を受けて、ねじりコイルバネ４３が押付けエレメント１９から移送ローラ１８部分を離反させ、移送ローラ１８と押付けエレメント１９との間が最大限に開いて間隙４５が形成される。
【００６８】
したがって、移送ローラ１８の円周部における中央円周溝３７、移送用爪３８及び外周円周溝３９と、押付けエレメント１９のバックアップローラ４１及びバックアップリング４２との間に形成される間隙４５の部分に台紙無しラベル３の先頭部を挿通することができる。
【００６９】
次いで、プラテンユニット６を図１の状態に閉鎖して、開閉用係脱片２８の係脱用凹部２８Ａと係脱軸２５とを係合させ、操作レバー５及びグリップ１０を何回か握持して、台紙無しラベル３の移送用スリット３Ａに移送用爪３８を係合させれば、台紙無しラベル３の移送を可能として装填を完了する。
【００７０】
プラテンユニット６を閉鎖した状態の携帯式台紙無しラベル貼付け機１において、操作レバー５及びグリップ１０を握持することにより、印字器７が移送用無端ベルト２３上の台紙無しラベル３に印字を行うとともに、移送回動用爪３２が移送ローラ１８におけるローラギア２４の移送用突起３３から隣接する（図３中、右側の）移送用突起３３側に移行し、ついで操作レバー５の解放によって、移送回動用爪３２がこの移送用突起３３を前方に（図３中、左方向に）回動させて、移送ローラ１８を所定ピッチで回動して台紙無しラベル３を移送する。
【００７１】
更に、移送ローラ１８に係合している駆動ギア２１Ａが回動することにより移送用無端ベルト２３を回動させて、その上面の台紙無しラベル３を側板２の外方に送り出し可能とする。
【００７２】
移送用無端ベルト２３の先頭部（下流側）において側板２の外方に送り出された台紙無しラベル３のラベル片３Ｂを貼付けローラ８により所定の被貼付け体に貼り付けることができる。
【００７３】
なお、上述した、操作レバー５及びグリップ１０の握持により、移送回動用爪３２が移送ローラ１８におけるローラギア２４の移送用突起３３から隣接する（図３中、右側の）移送用突起３３側に移行する際、図１０に示すように、分離爪エレメント４９の逆転防止片５４が、移送ローラ１８の逆転防止凹部５８に係合しているので、移送ローラ１８が図１０中、反時計方向には回動（逆転）することがなく、移送ローラ１８による台紙無しラベル３の安定した移送を保証している。
【００７４】
もちろん、操作レバー５及びグリップ１０の解放により移送ローラ１８が時計方向（移送方向）に回動する際に、逆転防止片５４は次の逆転防止凹部５８に移行して係合する。
【００７５】
更に、台紙無しラベル分離装置９により、移送ローラ１８における左右一対の外周円周溝３９と台紙無しラベル３との間には、分離爪エレメント４９の左右一対の分離爪片５３がそれぞれ位置しているので（第１の姿勢）、移送ローラ１８の移送用爪３８と係合して分離爪片５３の部分まで移送されてきた台紙無しラベル３は、その表面側が分離爪片５３の底面に接触しつつ、移送用爪３８から台紙無しラベル３の移送用スリット３Ａが離脱する結果、移送用爪３８から強制的に分離され、移送用無端ベルト２３上に移行することになる。
【００７６】
移送ローラ１８のローラギア２４と、移送用無端ベルト２３の駆動ギア２１Ａとの係合回転により、移送用無端ベルト２３上の台紙無しラベル３は更に従動ベルトローラ２２の方向に向かって移送される。
【００７７】
また、移送ローラ１８と移送用無端ベルト２３との間において台紙無しラベル３がジャミングしたり、あるいは、その周りの部品や機構への糊の付着などを除去清掃する作業その他のためにメンテナンスが必要なったりしたときには、図７及び図８に示すように、台紙無しラベル分離装置９における分離爪エレメント４９（回動アーム５０）を回動突起５６の周りに上方へ引っ張り上げるように回動開放して、移送ローラ１８と移送用無端ベルト２３との間から退避させて第２の姿勢とする。すなわち、分離爪エレメント４９を簡単にその作動位置から解除して、移送ローラ１８の周りにおける台紙無しラベル３の状態を確認可能とするとともに、糊が付着した部分の必要な清掃その他の作業を行うことができる。
【００７８】
かくして、上述のような簡単な構成の台紙無しラベル分離装置９により、移送ローラ１８における台紙無しラベル３の移送、及びその移送用無端ベルト２３への移行を確実に行うことができるとともに、必要時には、内部のメンテナンスを容易に行うことができる。
【００７９】
図１１は、移送用無端ベルト２３のテンションを調整するテンション調整機構７０の分解斜視図である。
【００８０】
同図に示すように、テンション調整機構７０は、主として、ベルト張りローラ７１と、そのベルト張りローラ７１の両端を保持する左右一対のベルト張りプレート７２Ｌ、７２Ｒとで構成される。
【００８１】
ベルト張りローラ７１は、移送用無端ベルト２３の幅とほぼ同じ幅をもって形成され、両端に丸棒状の軸部７１Ｌ、７１Ｒが突出して形成される。このベルト張りローラ７１は、開閉フレーム１７の左右の側板部１７Ｌ、１７Ｒに形成された左右一対の軸受穴７３Ｌ、７３Ｒに軸部７１Ｌ、７１Ｒが挿通されて（図７、図１２参照、ただし、片側の軸部７１Ｒのみ図示）、開閉フレーム１７に保持される。この際、ベルト張りローラ７１は、移送用無端ベルト２３の内周部に挿通され、駆動ベルトローラ２１及び従動ベルトローラ２２と平行に配置される（移送用無端ベルト２３の走行方向に対して直交して配置される。）。
【００８２】
ベルト張りプレート７２Ｌ、７２Ｒは、長尺状に形成され、基端部に軸穴７４Ｌ、７４Ｒが形成される。ベルト張りプレート７２Ｌ、７２Ｒは、この軸穴７４Ｌ、７４Ｒが、開閉フレーム１７の左右の側板部１７Ｌ、１７Ｒに形成された左右一対のベルト張りプレート揺動軸７５Ｌ、７５Ｒに個別に嵌合されて（図７、図１２参照、ただし、片側のベルト張りプレート揺動軸７５Ｒのみ図示）、開閉フレーム１７に個別に揺動自在に支持される。ベルト張りプレート揺動軸７５Ｌ、７５Ｒは、駆動ベルトローラ２１及び従動ベルトローラ２２と平行に設けられる。したがって、ベルト張りプレート７２Ｌ、７２Ｒは、駆動ベルトローラ２１及び従動ベルトローラ２２と平行な軸を中心に揺動自在に支持される。
【００８３】
ベルト張りプレート７２Ｌ、７２Ｒの先端部には、前後一対の固定用長穴７６Ｌ１、７６Ｌ２、７６Ｒ１、７６Ｒ２が形成される。
【００８４】
前後一対の固定用長穴７６Ｌ１、７６Ｌ２、７６Ｒ１、７６Ｒ２は、ベルト張りプレート７２Ｌ、７２Ｒをベルト張りプレート固定ネジ７７Ｌ１、７７Ｌ２、７７Ｒ１、７７Ｒ２を用いて開閉フレーム１７に固定するための穴であり、軸穴７４Ｌ、７４Ｒを中心とした円に沿って円弧状に形成される。ベルト張りプレート７２Ｌ、７２Ｒは、この固定用長穴７６Ｌ１、７６Ｌ２、７６Ｒ１、７６Ｒ２にベルト張りプレート固定ネジ７７Ｌ１、７７Ｌ２、７７Ｒ１、７７Ｒ２を通して、ベルト張りプレート固定ネジ７７Ｌ１、７７Ｌ２、７７Ｒ１、７７Ｒ２で開閉フレーム１７に固定される。開閉フレーム１７の左右の側板部１７Ｌ、１７Ｒには、このベルト張りプレート固定ネジ７７Ｌ１、７７Ｌ２、７７Ｒ１、７７Ｒ２が螺合されるネジ穴（図示せず）が形成される。
【００８５】
ベルト張りプレート７２Ｌ、７２Ｒの先端部には、更に軸部係合部７８Ｌ、７８Ｒが形成される。軸部係合部７８Ｌ、７８Ｒは、ベルト張りプレート７２Ｌ、７２Ｒの先端の下辺部に矩形状の切欠きとして形成され、前後一対の固定用長穴７６Ｌ１、７６Ｌ２、７６Ｒ１、７６Ｒ２の間に形成される。上記のように、ベルト張りローラ７１は、両端の軸部７１Ｌ、７１Ｒが軸受穴７３Ｌ、７３Ｒに挿通されて、開閉フレーム１７に移動可能に保持される。軸受穴７３Ｌ、７３Ｒに挿通されたベルト張りローラ７１の軸部７１Ｌ、７１Ｒは、開閉フレーム１７の左右の側板部１７Ｌ、１７Ｒから突出し、切欠きとして形成された軸部係合部７８Ｌ、７８Ｒに中に収容される。
【００８６】
ここで、ベルト張りローラ７１の両端の軸部７１Ｌ、７１Ｒが挿通される軸受穴７３Ｌ、７３Ｒは、長穴として形成され、ベルト張りプレート揺動軸７５Ｌ、７５Ｒを中心とする円に沿って円弧状に形成される。ベルト張りローラ７１は、両端の軸部７１Ｌ、７１Ｒが、軸受穴７３Ｌ、７３Ｒに挿通されることにより、軸受穴７３Ｌ、７３Ｒに沿って移動可能に保持され、移送用無端ベルト２３の内周面に対して進退移動可能に保持される。
【００８７】
ベルト張りプレート７２Ｌ、７２Ｒを下方に向けて揺動させると、ベルト張りローラ７１の軸部７１Ｌ、７１Ｒにベルト張りプレート７２Ｌ、７２Ｒの軸部係合部７８Ｌ、７８Ｒが係合し、ベルト張りローラ７１の軸部７１Ｌ、７１Ｒを下方に向けて個別に押圧する。この結果、ベルト張りローラ７１が、移送用無端ベルト２３の内周面を押圧し、移送用無端ベルト２３にテンションが付与される。このテンションの付与量は、ベルト張りプレート７２Ｌ、７２Ｒの押下量に応じて増大する。すなわち、ベルト張りプレート７２Ｌ、７２Ｒの押下量を増やせば、移送用無端ベルト２３に対するベルト張りローラ７１の押圧力が強まり、移送用無端ベルト２３のテンションが高くなる。したがって、所望のテンションになるようにベルト張りプレート７２Ｌ、７２Ｒの押下量を調整し、ベルト張りプレート固定ネジ７７Ｌ１、７７Ｌ２、７７Ｒ１、７７Ｒ２でベルト張りプレート固定ネジ７７Ｌ１、７７Ｌ２、７７Ｒ１、７７Ｒ２を固定すれば、移送用無端ベルト２３を所望のテンションに設定することができる。
【００８８】
開閉フレーム１７の左右の側板部１７Ｌ、１７Ｒには、ベルト張りプレート７２Ｌ、７２Ｒの押下量を示すための目盛８０Ｌ、８０Ｒが設けられる（図７、図１２参照、ただし、片側の目盛８０Ｒのみ図示）。一方、ベルト張りプレート７２Ｌ、７２Ｒの先端部には、この目盛８０Ｌ、８０Ｒを指し示すための指標８２Ｌ、８２Ｒが形成される。ベルト張りプレート７２Ｌ、７２Ｒの揺動に合わせて、指標８２Ｌ、８２Ｒが目盛８０Ｌ、８０Ｒ上を動き、ベルト張りプレート７２Ｌ、７２Ｒの押下量を視認することができる。
【００８９】
テンション調整機構７０は、以上のように構成される。このテンション調整機構７０を用いた移送用無端ベルト２３のテンションの調整方法は、次のとおりである。
【００９０】
移送用無端ベルト２３に弛みが生じている場合、まず、ベルト張りプレート７２Ｌ、７２Ｒを固定しているベルト張りプレート固定ネジ７７Ｌ１、７７Ｌ２、７７Ｒ１、７７Ｒ２を緩める。これにより、左右のベルト張りプレート７２Ｌ、７２Ｒが揺動可能な状態になる。
【００９１】
次に、左右のベルト張りプレート７２Ｌ、７２Ｒを押下する。これにより、図１２に示すように、ベルト張りローラ７１の軸部７１Ｌ、７１Ｒがベルト張りプレート７２Ｌ、７２Ｒに形成された軸部係合部７８Ｌ、７８Ｒに押下され、ベルト張りローラ７１が移送用無端ベルト２３の内周面に押し付けられる。そして、このベルト張りローラ７１が移送用無端ベルト２３の内周面に押し付けられることにより、移送用無端ベルト２３にテンションが付与される。
【００９２】
移送用無端ベルト２３に付与するテンションは、ベルト張りプレート７２Ｌ、７２Ｒの押下量で調整される。ユーザは、開閉フレーム１７の左右の側板部１７Ｌ、１７Ｒに形成された目盛８０Ｌ、８０Ｒと、ベルト張りプレート７２Ｌ、７２Ｒの先端に形成された指標８２Ｌ、８２Ｒの位置を確認して、ベルト張りプレート７２Ｌ、７２Ｒの押下量を調整する。
【００９３】
ところで、上記のように、左右のベルト張りプレート７２Ｌ、７２Ｒは、各々独立して揺動させることができる。ユーザは、必要に応じて左右のベルト張りプレート７２Ｌ、７２Ｒの押下量を変えて、移送用無端ベルト２３に付与するテンションを調整する。たとえば、移送用無端ベルト２３に蛇行が生じている場合などには、左右の押下量を調整して、蛇行を矯正する。移送用無端ベルト２３は、成型時に内部歪みが生じる場合があり、これが原因で蛇行が生じる場合がある。このような場合も、ベルト張りプレート７２Ｌ、７２Ｒの左右の押下量を調整することにより、蛇行を矯正して、正常に走行させることができる。
【００９４】
以上のようにして、移送用無端ベルト２３にテンションを付与する。そして、所望のテンションが移送用無端ベルト２３に付与されたところで、ベルト張りプレート７２Ｌ、７２Ｒを固定する。すなわち、ベルト張りプレート固定ネジ７７Ｌ１、７７Ｌ２、７７Ｒ１、７７Ｒ２を締め付ける。これにより、ベルト張りプレート７２Ｌ、７２Ｒが固定される。
【００９５】
ベルト張りプレート７２Ｌ、７２Ｒが固定されることにより、移送用無端ベルト２３は、所定のテンションが付与された状態で保持される。
【００９６】
以上により、移送用無端ベルト２３のテンションの調整作業は終了する。
【００９７】
移送用無端ベルト２３は、バネ圧でテンションが付与されるのではなく、ベルト張りローラ７１で押圧されて、テンションが付与されるので、表面に形成された溝の位置ズレも生じることなく安定して走行することができる。
【００９８】
また、ベルト張りプレート７２Ｌ、７２Ｒを揺動させるだけで、簡単に所望のテンションを移送用無端ベルト２３に付与することができる。
【００９９】
また、ベルト張りローラ７１は、左右の軸部７１Ｌ、７１Ｒが左右一対のベルト張りプレート７２Ｌ、７２Ｒによって独立して押下される構成のため、蛇行の矯正を合わせて行うことができる。
【０１００】
さらに、目盛８０Ｌ、８０Ｒと指標８２Ｌ、８２Ｒとを備えることにより、左右の押下量を確認することができ、簡単に押下量の調整や蛇行の矯正作業を行うことができる。
【符号の説明】
【０１０１】
１  携帯式台紙無しラベル貼付け機
２  左右一対の側板
３  台紙無しラベル
３Ａ  台紙無しラベルの移送用スリット
３Ｂ  台紙無しラベルの単葉のラベル片
４  ラベルホルダー
５  操作レバー
５Ａ  操作レバーの二股状のヨーク部
６  プラテンユニット
７  印字器
８  貼付けローラ
９  携帯式台紙無しラベル貼付け機の台紙無しラベル分離装置
１０  グリップ
１１  レバー軸
１２  コイルスプリング
１３  ホルダー軸
１４  ホルダーカバー
１５  ラベル保持軸
１６  固定用フック
１７  開閉フレーム
１８  移送ローラ
１９  押付けエレメント
２０  開閉軸
２１  駆動ベルトローラ
２１Ａ  駆動ギア
２２  従動ベルトローラ
２３  移送用無端ベルト
２３Ａ  受圧用プレート
２４  ローラギア
２５  係脱軸
２６  開閉用つまみ
２７  つまみ軸
２８  開閉用係脱片
２８Ａ  開閉用係脱片の係脱用凹部
２９  ローラ軸
３０  連結アーム
３１  連結軸
３２  移送回動用爪
３３  移送ローラの移送用突起
３４  連結ガイドプレート
３５  連結突起
３６  開閉フレームの底部におけるガイド溝
３７  中央円周溝
３８  左右一対の移送用爪
３９  左右一対の外周円周溝
４０  エレメントフレーム
４１  上下左右二対のバックアップローラ
４２  バックアップリング
４３  ねじりコイルバネ
４４  左右一対の板バネ
４５  移送ローラと押付けエレメントとの間の間隙
４６  エレメント軸
４７  上下一対の回転軸
４８  インキローラ
４９  分離爪エレメント
５０  左右一対の回動アーム
５１  横断アーム
５２  爪エレメント本体
５３  左右一対の分離爪片
５４  逆転防止片
５５  左右一対の爪エレメント係合片
５６  左右一対の回動突起
５７  左右一対の回動用凹部
５８  逆転防止凹部
５９  爪エレメント係脱孔部
６０  塗布手段
６２  スポンジローラ
６４  ブラケット
６６  開閉フレームの開放開口部
７０  テンション調整機構
７１  ベルト張りローラ
７１Ｌ、７１Ｒ  ベルト張りローラの軸部
７２Ｌ、７２Ｒ  ベルト張りプレート
７３Ｌ、７３Ｒ  軸受穴
７４Ｌ、７４Ｒ  ベルト張りプレートの軸穴
７５Ｌ、７５Ｒ  ベルト張りプレート揺動軸
７６Ｌ１、７６Ｌ２、７６Ｒ１、７６Ｒ２  固定用長穴
７７Ｌ１、７７Ｌ２、７７Ｒ１、７７Ｒ２  ベルト張りプレート固定用ネジ
７８Ｌ、７８Ｒ  軸部係合部
８０Ｌ、８０Ｒ  目盛
８２Ｌ、８２Ｒ  指標
【図１】
0005814724.tif 000002
【図２】
0005814724.tif 000003
【図３】
0005814724.tif 000004
【図４】
0005814724.tif 000005
【図５】
0005814724.tif 000006
【図６】
0005814724.tif 000007
【図７】
0005814724.tif 000008
【図８】
0005814724.tif 000009
【図９】
0005814724.tif 000010
【図１０】
0005814724.tif 000011
【図１１】
0005814724.tif 000012
【図１２】
0005814724.tif 000013